(57)【要約】      （修正有）【課題】グループ通話を良好に行うことが可能となる通信装置を提供する。【解決手段】携帯電話機は、複数の他の携帯電話機との間で半二重の通話方式を利用したグループ通話を行う機能を有する。携帯電話機は、通信部と、通話実行部とを備える。通信部は、着信側の携帯電話機から送信されたＳＭＳメールを受信する。ＳＭＳメールは、着信側の携帯電話機による着信応答がなされた後に着信側の携帯電話機のユーザが参加通知キーの操作を行ったことに基づいて送信される。ＳＭＳメールには、送信元の着信側の携帯電話機を識別するための差出人の電話番号が含まれる。通話実行部は、通信部により受信されたＳＭＳメールから電話番号を取得して、取得した電話番号に対応する着信側の携帯電話機のユーザがグループ通話に参加していることを通知する。【選択図】図６
2014072535.tif 000002
【特許請求の範囲】
【請求項１】
複数の他の通信装置との間で半二重の通話方式を利用したグループ通話を行う機能を有する通信装置であって、当該通信装置から前記グループ通話を開始するための呼出を行ったときにその呼出に対して着信側の通信装置から自動的に着信応答がなされる通信装置において、
前記着信応答がなされた後に前記着信側の通信装置のユーザが行った第１通知操作に基づいて前記着信側の通信装置から送信された、送信元の前記着信側の通信装置を識別するための第１識別情報が含まれる第１通知情報を受信する受信部と、
前記受信部により受信された前記第１通知情報から前記第１識別情報を取得して、取得した前記第１識別情報に対応する前記着信側の通信装置のユーザが前記グループ通話に参加していることを通知する通知実行部と、
を備えることを特徴とする通信装置。
【請求項２】
請求項１に記載の通信装置において、
前記第１通知情報は、識別文字列が含まれた電子メールであり、
前記受信部により受信された電子メールが前記第１通知情報であるか否かを、前記識別文字列の有無に基づいて判別する判別部を、さらに備え、
前記通知実行部は、前記判別部により前記第１通知情報であると判別された電子メールに含まれる差出人情報を前記第１識別情報として取得する、
ことを特徴とする通信装置。
【請求項３】
請求項１または２に記載の通信装置において、
表示部をさらに備え、
前記通知実行部は、前記着信側の通信装置のユーザを表すユーザ情報を前記表示部に表示し、前記ユーザ情報に対応する通知オブジェクトにより前記着信側の通信装置のユーザが前記グループ通話に参加していること示す表示を行う、
ことを特徴とする通信装置。
【請求項４】
請求項１ないし３の何れか一項に記載の通信装置において、
ユーザによる指令操作を受け付ける受付部と、
前記着信応答がなされた後に前記受付部により受け付けられた前記指令操作に基づいて前記着信側の通信装置へ前記グループ通話時の受話音声の録音を指示する指令情報を送信する送信実行部と、をさらに備える、
ことを特徴とする通信装置。
【請求項５】
請求項１に記載の通信装置において、
前記通信装置は、発信側の通信装置が行った前記グループ通話を開始するための呼出に対して自動的に着信応答を行う構成であり、
ユーザによる第２通知操作を受け付ける受付部と、
前記着信応答がなされた後に前記受付部により受け付けられた前記第２通知操作に基づいて、前記通信装置を識別するための第２識別情報が含まれる第２通知情報を、前記発信側の通信装置において、前記第２識別情報に対応する前記通信装置のユーザが前記グループ通話に参加していることが通知されるために、前記発信側の通信装置へ送信する送信実行部と、をさらに備える、
ことを特徴とする通信装置。
【請求項６】
請求項５に記載の通信装置において、
前記グループ通話時の受話音声の録音を行う録音実行部を、さらに備える、
ことを特徴とする通信装置。
【請求項７】
請求項６に記載の通信装置において、
前記録音実行部は、前記受付部により前記第２通知操作が受け付けられたことに基づいて前記録音を停止する、
ことを特徴とする通信装置。
【請求項８】
請求項６または７に記載の通信装置において、
前記受信部は、前記着信応答がなされた後に前記発信側の通信装置のユーザによる指令操作に基づいて前記発信側の通信装置から送信された、前記グループ通話時の受話音声の録音を指示する指令情報を受信し、
前記録音実行部は、前記受信部により受信された前記指令情報に基づいて前記録音を開始する、
ことを特徴とする通信装置。
【請求項９】
請求項８に記載の通信装置において、
前記指令情報は、識別文字列が含まれた電子メールであり、
前記受信部により受信された電子メールが前記指令情報であるか否かを、前記識別文字列の有無に基づいて判別する判別部を、さらに備え、
前記録音実行部は、前記受信部により受信された電子メールが前記指令情報であることに基づいて前記録音を開始する、
ことを特徴とする通信装置。
【請求項１０】
複数の他の通信装置との間で半二重の通話方式を利用したグループ通話を行う機能を有する通信装置であって、当該通信装置から前記グループ通話を開始するための呼出を行ったときにその呼出に対して着信側の通信装置から自動的に着信応答がなされる通信装置のコンピュータに、
前記着信応答がなされた後に前記着信側の通信装置のユーザが行った通知操作に基づいて前記着信側の通信装置から送信された、送信元の前記着信側の通信装置を識別するための識別情報が含まれる通知情報が受信されると、受信された前記通知情報から前記識別情報を取得する機能と、
取得した前記識別情報に対応する前記着信側の通信装置のユーザが前記グループ通話に参加していることを通知する機能と、
を付与するプログラム。
【請求項１１】
複数の他の通信装置との間で半二重の通話方式を利用したグループ通話を行う機能を有する通信装置であって、当該通信装置から前記グループ通話を開始するための呼出を行ったときにその呼出に対して着信側の通信装置から自動的に着信応答がなされる通信装置の通話制御方法において、
前記着信応答がなされた後に前記着信側の通信装置のユーザが行った通知操作に基づいて前記着信側の通信装置から送信された、送信元の前記着信側の通信装置を識別するための識別情報が含まれる通知情報が受信されると、受信された前記通知情報から前記識別情報を取得するステップと、
取得した前記識別情報に対応する前記着信側の通信装置のユーザが前記グループ通話に参加していることを通知するステップと、
を含む通話制御方法。
【発明の詳細な説明】
【技術分野】
【０００１】
本発明は、電話機、携帯電話機、並びに、通話機能を有するＰＤＡ（PersonalDigital Assistant）、タブレットＰＣ（Tablet PC）および電子書籍端末など、通話可能な通信装置に関する。また、本発明は、かかる通信装置に用いて好適なプログラムおよび通話制御方法に関する。
【背景技術】
【０００２】
従来、いわゆるプッシュ・トゥ・トーク（Push To Talk。以下、「ＰＴＴ」と言う。）と呼ばれる、半二重の通話方式により、複数の相手と通話を行うグループ通話機能を備えた携帯電話機が知られている（たとえば、特許文献１）。かかるグループ通話機能により行われるグループ通話では、携帯電話機の送信ボタンが押されたときに、その携帯電話機に発言権（Floor）が付与され、送信ボタンを押している間、他の電話機へ音声の送信が可能となる。
【０００３】
グループ通話を開始するユーザが、複数の相手の電話番号を指定する発信操作を行うと、通話を管理するサーバを介して、電話番号により指定された電話機への呼出が行われ、呼び出された電話機から着信応答が行われると、発信を行った携帯電話機および着信応答を行った電話機の全ての電話機の間でグループ通話が可能な状態となる。
【先行技術文献】
【特許文献】
【０００４】
【特許文献１】特開２００６−１９７１１６号公報
【発明の概要】
【発明が解決しようとする課題】
【０００５】
上記グループ通話機能は、たとえば、作業監督者から複数の作業者へ作業指示を行うなど、発信者側が複数の着信者側へ一方的に情報を伝達するために利用されることが想定される。このような使用形態の場合、着信時に逐一着信者の応答操作が必要となるのは不便である。よって、上記グループ通話機能では、一般の電話の着信時と異なり、着信者が応答操作を行わずとも、自動的に着信側の電話機から着信応答がなされるような仕組みが採られ得る。
【０００６】
しかしながら、このように、応答操作が行われずとも着信側の電話機から着信応答が行われて通話可能な状態となる場合、発信者は、各着信者が実際に話を聞ける状態にあるのか否かを把握することができない。このため、発信者からの重要な発言が着信者側に伝わらないなど、グループ通話を良好に行えない場合が生じ得る。
【０００７】
そこで、本発明は、グループ通話を良好に行うことが可能となる通信装置、プログラムおよび通話制御方法を提供することを目的とする。
【課題を解決するための手段】
【０００８】
本発明の第１の態様は、複数の他の通信装置との間で半二重の通話方式を利用したグループ通話を行う機能を有する通信装置であって、当該通信装置から前記グループ通話を開始するための呼出を行ったときにその呼出に対して着信側の通信装置から自動的に着信応答がなされる通信装置に関する。本態様に係る通信装置は、前記着信応答がなされた後に前記着信側の通信装置のユーザが行った第１通知操作に基づいて前記着信側の通信装置から送信された、送信元の前記着信側の通信装置を識別するための第１識別情報が含まれる
第１通知情報を受信する受信部と、前記受信部により受信された前記第１通知情報から前記第１識別情報を取得して、取得した前記第１識別情報に対応する前記着信側の通信装置のユーザが前記グループ通話に参加していることを通知する通知実行部と、を備える。
【０００９】
本態様に係る通信装置において、前記第１通知情報は、識別文字列が含まれた電子メールとされ得る。この場合、通信装置は、前記受信部により受信された電子メールが前記第１通知情報であるか否かを、前記識別文字列の有無に基づいて判別する判別部を、さらに備える。前記通知実行部は、前記判別部により前記第１通知情報であると判別された電子メールに含まれる差出人情報を前記第１識別情報として取得する。
【００１０】
本態様に係る通信装置は、表示部をさらに備えるような構成とされ得る。この場合、前記通知実行部は、前記着信側の通信装置のユーザを表すユーザ情報を前記表示部に表示し、前記ユーザ情報に対応する通知オブジェクトにより前記着信側の通信装置のユーザが前記グループ通話に参加していること示す表示を行う。
【００１１】
本態様に係る通信装置は、ユーザによる指令操作を受け付ける受付部と、前記着信応答がなされた後に前記受付部により受け付けられた前記指令操作に基づいて前記着信側の通信装置へ前記グループ通話時の受話音声の録音を指示する指令情報を送信する送信実行部と、をさらに備えるような構成とされ得る。
【００１２】
本態様に係る通信装置は、さらに、発信側の通信装置が行った前記グループ通話を開始するための呼出に対して自動的に着信応答を行う構成とされ得る。この場合、通信装置は、ユーザによる第２通知操作を受け付ける受付部と、前記着信応答がなされた後に前記受付部により受け付けられた前記第２通知操作に基づいて、前記通信装置を識別するための第２識別情報が含まれる第２通知情報を、前記発信側の通信装置において、前記第２識別情報に対応する前記通信装置のユーザが前記グループ通話に参加していることが通知されるために、前記発信側の通信装置へ送信する送信実行部と、をさらに備える。
【００１３】
このような構成とされた場合、通信装置は、前記グループ通話時の受話音声の録音を行う録音実行部を、さらに備えるような構成とされ得る。
【００１４】
さらに、前記録音実行部が備えられる構成とされた場合、前記録音実行部は、前記受付部により前記第２通知操作が受け付けられたことに基づいて前記録音を停止するような構成とされ得る。
【００１５】
さらに、前記録音実行部が備えられる構成とされた場合、前記受信部は、前記着信応答がなされた後に前記発信側の通信装置のユーザによる指令操作に基づいて前記発信側の通信装置から送信された、前記グループ通話時の受話音声の録音を指示する指令情報を受信するような構成とされ得る。この場合、前記録音実行部は、前記受信部により受信された前記指令情報に基づいて前記録音を開始する。
【００１６】
このような構成とされた場合、前記指令情報は、識別文字列が含まれた電子メールとされ得る。この場合、通信装置は、前記受信部により受信された電子メールが前記指令情報であるか否かを、前記識別文字列の有無に基づいて判別する判別部を、さらに備える。前記録音実行部は、前記受信部により受信された電子メールが前記指令情報であることに基づいて前記録音を開始する。
【００１７】
本発明の第２の態様に係るプログラムは、複数の他の通信装置との間で半二重の通話方式を利用したグループ通話を行う機能を有する通信装置であって、当該通信装置から前記グループ通話を開始するための呼出を行ったときにその呼出に対して着信側の通信装置か
ら自動的に着信応答がなされる通信装置のコンピュータに、前記着信応答がなされた後に前記着信側の通信装置のユーザが行った通知操作に基づいて前記着信側の通信装置から送信された、送信元の前記着信側の通信装置を識別するための識別情報が含まれる通知情報が受信されると、受信された前記通知情報から前記識別情報を取得する機能と、取得した前記識別情報に対応する前記着信側の通信装置のユーザが前記グループ通話に参加していることを通知する機能と、を付与する。
【００１８】
本発明の第３の態様は、複数の他の通信装置との間で半二重の通話方式を利用したグループ通話を行う機能を有する通信装置であって、当該通信装置から前記グループ通話を開始するための呼出を行ったときにその呼出に対して着信側の通信装置から自動的に着信応答がなされる通信装置の通話制御方法に関する。本態様に係る通話制御方法は、前記着信応答がなされた後に前記着信側の通信装置のユーザが行った通知操作に基づいて前記着信側の通信装置から送信された、送信元の前記着信側の通信装置を識別するための識別情報が含まれる通知情報が受信されると、受信された前記通知情報から前記識別情報を取得するステップと、取得した前記識別情報に対応する前記着信側の通信装置のユーザが前記グループ通話に参加していることを通知するステップと、を含む。
【発明の効果】
【００１９】
本発明によれば、グループ通話を良好に行うことが可能となる通信装置、プログラムおよび通話制御方法を提供することができる。
【００２０】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２１】
【図１】実施の形態に係る、携帯電話機の構成を示す図である。
【図２】実施の形態に係る、携帯電話機の全体構成を示すブロック図である。
【図３】実施の形態に係る、グループ通話の際に複数の携帯電話機がＰＴＴサーバを介した通信路により接続されることを説明する図である。
【図４】実施の形態に係る、表示面に連絡先一覧画面が表示された状態を示す図である。
【図５】実施の形態に係る、グループ通話機能における基本処理動作について説明するための図である。
【図６】実施の形態に係る、発信側の携帯電話機の表示面に表示されるグループ通話の通話画面を示す図である。
【図７】実施の形態に係る、着信側の携帯電話機の表示面に表示されるグループ通話の通話画面を示す図である。
【図８】実施の形態に係る、着信側の携帯電話機で実行される参加メール送信処理の処理手順を示すフローチャートである。
【図９】実施の形態に係る、発信側の携帯電話機で実行される参加メール判別処理および参加通知処理の処理手順を示すフローチャートである。
【図１０】変更例に係る、発信側の携帯電話機の表示面に表示されるグループ通話の通話画面、および着信側の携帯電話機の表示面に表示されるグループ通話の通話画面を示す図である。
【図１１】変更例に係る、発信側の携帯電話機で実行される録音メール送信処理の処理手順を示すフローチャートである。
【図１２】変更例に係る、着信側の携帯電話機で実行される録音メール判別処理の処理手順を示すフローチャートである。
【図１３】変更例に係る、着信側の携帯電話機で実行される録音処理の処理手順を示すフローチャートである。
【図１４】変更例に係る、録音が停止された後の着信側の通話画面、およびグループ通話時に録音された録音ファイルの一覧画面を示す図である。
【発明を実施するための形態】
【００２２】
以下、本発明の実施形態について、図面を参照して説明する。
【００２３】
図１は、携帯電話機１の構成を示す図である。図１（ａ）および（ｂ）は、それぞれ、携帯電話機１の正面図および背面図である。図１（ｃ）は、携帯電話機１の左側面図である。
【００２４】
以下、説明の便宜上、図１に示すように、キャビネット２の長手方向を上下方向と定義し、キャビネット２の短手方向を左右方向と定義する。
【００２５】
携帯電話機１は、キャビネット２と、表示面３と、マイクロフォン４と、通話スピーカ５と、キー操作部６と、外部スピーカ７と、第１キー８と、第２キー９を備えている。
【００２６】
キャビネット２は、正面から見て、ほぼ長方形状を有する。キャビネット２の正面には、後述する表示部１３の表示面３が配されている。表示面３には、各種の画像（画面）が表示される。
【００２７】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。
【００２８】
キャビネット２の正面には、キー操作部６が設けられている。キー操作部６は、複数の操作キーから構成されている。各操作キーには、実行中のプログラムを操作するための各種の機能が割り当てられる。
【００２９】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００３０】
キャビネット２の左側面には、第１キー８および第２キー９が設けられている。第１キー８には、後述するグループ通話のための発信を行う際に操作される発信キーとしての機能と、グループ通話中に他のメンバの電話機へ音声を送信する際に操作される送信キーとしての機能が割り当てられている。第２キー９にはグループ通話を終了する際に操作される終話キーとしての機能が割り当てられている。
【００３１】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９とを備えている。
【００３２】
記憶部１２は、ＲＯＭ、ＲＡＭ、外部メモリー等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、電話帳、地図、ゲーム、スケジュール管理、等）を含む。プログラムは、メーカによって携帯電話機１の製造時に記憶部１２に記憶される他、ユーザによって通信網や記憶媒体を介して記憶部１２に記憶される。
【００３３】
記憶部１２には、プログラムの実行の際、一時的に利用または生成されるデータを記憶するワーキング領域も含まれる。
【００３４】
記憶部１２には、電話帳テーブル１２ａが記憶されている。電話帳テーブル１２ａには、通信相手の連絡先情報が登録されている。連絡先情報は、名前、電話番号、メールアドレス、住所等の通信相手に係る連絡先の情報、および、通信相手を表現する画像、通信相手の誕生日、通信相手の趣味等の通信相手に係るその他の情報により構成される。ユーザは、電話帳のアプリケーションを実行し、所定の登録画面を用いて通信相手毎に連絡先情報を入力する。入力された連絡先情報が電話帳テーブル１２ａに登録される。
【００３５】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９等）を制御する。
【００３６】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００３７】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００３８】
タッチ検出部１４は、前記表示面３へのユーザによるタッチ操作を受け付ける。即ち、タッチ検出部１４は、指が触れた表示面３上の位置をタッチ位置として検出し、検出したタッチ位置に応じた位置信号を制御部１１へ出力する。
【００３９】
ユーザは、表示面３に指を触れることにより各種のタッチ操作を行うことができる。タッチ操作の種類として、タップ操作、フリック操作、スライド操作等が挙げられる。タップ操作は、表示面３に指を接触させた後、短時間のうちに離す操作である。フリック操作は、表示面３を指で任意の方向に弾く操作である。スライド操作は、表示面３に指を接触させたまま任意の方向へ移動させる操作である。
【００４０】
タッチ操作についてより具体的に説明する。たとえば、タッチ検出部１４により表示面３に対するタッチ位置が検出された後、予め定めた第１時間以内にタッチ位置が検出されなくなった場合、制御部１１によりタップ操作がなされたと判定される。タッチ検出部１４により表示面３に対するタッチ位置が検出され、予め定めた第２時間以内に予め定めた第１距離以上タッチ位置が移動した後、タッチ位置が検出されなくなった場合、制御部１１によりフリック操作がなされたと判定される。タッチ検出部１４により表示面３に対するタッチ位置が検出された後、予め定めた第２距離以上タッチ位置が移動すると、制御部１１によりスライド操作がなされたと判定される。
【００４１】
音声入力部１５は、マイクロフォン４等から構成される。音声入力部１５は、マイクロフォン４からの電気信号を音声処理部１７へ出力する。
【００４２】
音声出力部１６は、通話スピーカ５、外部スピーカ７等から構成される。音声出力部１６には、音声処理部１７からの電気信号を入力され、通話スピーカ５または外部スピーカ７から音（音声、報知音等）が出力される。
【００４３】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４４】
キー入力部１８は、キー操作部６の各操作キーが押下されたときに、押下された操作キーに応じた信号を制御部１１へ出力する。さらに、キー入力部１８は、第１キー８または第２キー９が押下されたときに、押下されたキーに応じた信号を制御部１１へ出力する。
【００４５】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が処理できる形式の信号へ変換し、変換された信号を制御部１１へ出力する。
【００４６】
さて、本実施の形態の携帯電話機１は、ＰＰＴ通信方式により、複数の相手と通話行うグループ通話機能を備えている。携帯電話機１には、グループ通話機能を実行するためのアプリケーションが搭載されている。制御部１１は、このアプリケーションに従ってグループ通話機能を実行する。
【００４７】
制御部１１は、通話実行部２１およびメール判別部２２を備える。通話実行部２１は、本発明の通知実行部および送信実行部として機能し、後述する参加メール送信処理、参加通知処理など、グループ通話機能に係る制御処理を実行する。メール判別部２２は、後述する参加メール判別処理を実行する。
【００４８】
ＰＴＴ通信方式によるグループ通話（以下、単に「グループ通話」と言う）は、ＰＴＴサーバにより管理される。図３に示すように、携帯電話機１を利用して複数のユーザ間でグループ通話が行われる場合、各ユーザの携帯電話機１は、ＰＴＴサーバ５０を介した通信路５１（電話網）により接続される。
【００４９】
グループ通話を行う場合、ユーザは、たとえば、アドレス帳のアプリケーションを起動し、図４に示す連絡先一覧画面を表示面３に表示させる。ユーザは、予め、電話帳テーブル１２ａに登録された連絡先情報から、複数のメンバで構成されるグループ通話のためのグループを作成しておく。連絡先一覧画面には、個々の登録ユーザの名前だけでなく、グループ通話の対象となるグループの名前が表示される。ユーザによって、連絡先一覧画面から何れかのグループ名が選択され、発信キーである第１キー８が押下されると、グループ通話が開始される。
【００５０】
図５は、グループ通話機能における基本処理動作について説明するための図である。以下、複数の携帯電話機１を利用したグループ通話の基本処理動作を、図５を参照して説明する。図５には、３人のユーザによりグループ通話が行われる例が示されている。
【００５１】
グループ通話を開始するユーザＡが、自身の携帯電話機１の第１キー８を押下すると、ユーザＡの携帯電話機１の通話実行部２１は、呼出実行部として機能し、グループを構成するメンバの電話番号を電話帳テーブル１２ａから読み出して、読み出した電話番号ともに呼出要求信号をＰＴＴサーバ５０へ送信する（Ｓ１）。ＰＴＴサーバ５０は、受信した電話番号に基づいて、グルプ通話のメンバであるユーザＢおよびユーザＣの各携帯電話機１へ呼出信号を送信する（Ｓ２）。呼出信号を受信した各携帯電話機１の通話実行部２１は、応答実行部として機能し、自動的に着信応答信号をＰＴＴサーバ５０へ返信する（Ｓ３）。なお、着信側の携帯電話機１が圏外にあるなどし、呼出信号が届かなければ、着信
応答信号はＰＴＴサーバ５０に返信されない。
【００５２】
ＰＴＴサーバ５０は、着信側の各携帯電話機１からの着信応答信号を受信すると、発信側の携帯電話機１へ応答通知信号を送信する（Ｓ４）。応答通知信号には、着信側の各携帯電話機１の着信応答の有無を表す情報が含まれる。さらに、ＰＴＴサーバ５０は、着信側の各携帯電話機１へ、他の着信側の携帯電話機１の電話番号と着信応答の有無を表す情報とを含むメンバ情報を送信する（Ｓ５）。発信側の携帯電話機１と着信応答を行った着信側の携帯電話機１との間で通信路５１が確立され、グループ通話が可能な状態となる。
【００５３】
たとえば、ユーザＡが発言を行う場合には、自身の携帯電話機１の第１キー８を押下しながら発言を行う。ユーザＡの音声が、マイクロフォン４を通じて制御部１１に入力される。送信キーである第１キー８が押下されると、ユーザＡの携帯電話機１の通話実行部２１は、発言権要求信号をＰＴＴサーバ５０へ送信する（Ｓ６）。ＰＴＴサーバ５０は、何れの携帯電話機１にも発言権が付与されていない状態であれば、発言権付与信号をユーザＡの携帯電話機１へ送信する（Ｓ７）。発言権が付与されると、ユーザＡの携帯電話機１の通話実行部２１は、音声データをＰＴＴサーバ５０へ送信する（Ｓ７）。
【００５４】
ＰＴＴサーバ５０は、発言権を有するユーザＡの携帯電話機１から音声データを受信すると（Ｓ８）、受信した音声データを、発言権のないユーザＢおよびユーザＣの各携帯電話機１へ送信する（Ｓ９）。音声データを受信したユーザＢおよびユーザＣの各携帯電話機１の通話実行部２１は、音声データに基づくユーザＡの音声を通話スピーカ５から出力させる。なお、発言権要求信号は、第１キー８を押下している間送信される。第１キー８が押下されなくなり、発言権要求信号が送信されなくなると、ＰＴＴサーバ５０は発言権の付与を取り消す。
【００５５】
同様に、ユーザＢが、自身の携帯電話機１の第１キー８を押下しながら発言を行うと、発言権要求信号に基づき発言権が付与され（Ｓ１０、Ｓ１１）、ユーザＢの携帯電話機１から送信された音声データが、ユーザＡおよびユーザＣの各携帯電話機１へ送信される（Ｓ１２、Ｓ１３）。これにより、ユーザＡおよびユーザＣの各携帯電話機１の通話スピーカ５からユーザＢの音声が出力される。
【００５６】
たとえば、発信者であるユーザＡが、自身の携帯電話機１の第２キー９を押下すると、ＰＴＴサーバ５０により全ての携帯電話機１の間の通信路５１が切断されて、グループ通話が終了する。あるいは、何れの携帯電話機１からも発言権要求信号がＰＴＴサーバ５０へ送信されない時間が規定時間を超えると、ＰＴＴサーバ５０により全ての携帯電話機１の間の通信路５１が切断されて、グループ通話が終了する。
【００５７】
さて、上述のように携帯電話機１がグループ通話のための呼出信号を受信した場合、一般の電話の場合と異なり、ユーザが電話を受ける応答操作を行わなくとも、通話実行部２１は、自動的に着信応答信号を送信する。このため、着信側の携帯電話機１がグループ通話のメンバの手元になくても通話状態となる。よって、発信側のメンバからは、着信側のメンバが実際にグループ通話に参加しているか否が把握できない。
【００５８】
そこで、本実施の形態の携帯電話機１は、実際にグループ通話に参加している着信側のメンバを通知する参加通知機能を有する。以下、この参加通知機能について説明する。
【００５９】
図６は、発信側の携帯電話機１の表示面３に表示されるグループ通話の通話画面を示す図である。図６（ａ）は、メンバの参加状況が状態通知部１０３に通知される前の状態の通話画面を示す図である。図６（ｂ）は、メンバの参加状況が状態通知部１０３に通知されている状態の通話画面を示す図である。図７は、着信側の携帯電話機１の表示面３に表
示されるグループ通話の通話画面を示す図である。
【００６０】
発信側の携帯電話機１の通話実行部２１（以下、「発信側の通話実行部２１」と言う）は、通信路５１が確立されてグループ通話が可能な状態になると、発信側の通話画面を表示面３に表示する。図６（ａ）に示すように、発言権を取得しているメンバの名前が表示される発言権者表示ボックス１０１と、グループ通話のメンバの名前が一覧表示されるメンバ名一覧部１０２と、各メンバにおけるグループ通話の状態が通知される状態通知部１０３と、を含む。メンバ名一覧部１０２には、グループ通話を行う着信側の各携帯電話機１のメンバ名１０２ａが表示されている。状態通知部１０３は、各メンバ名１０２ａの隣に配置された、各メンバ名１０２ａに対応する状態マーカ１０３ａにより構成される。
【００６１】
発信側の通話実行部２１は、発信側の通話画面を表示すると、ＰＴＴサーバ５０からの応答通知信号に含まれた着信応答の有無を表す情報に基づいて、着信応答があったメンバの状態マーカ１０３ａを、グループ通話が可能であることを示す色（たとえば、黄色）で表示し、着信応答がなかったメンバの状態マーカ１０３ａを、グループ通話が不可能であることを示す色（たとえば、赤色）で表示する。
【００６２】
図５には記述されていないが、ＰＴＴサーバ５０は、現在、発言権を取得している携帯電話機１の情報を、全ての携帯電話機１へ送信する。発信側の通話実行部２１は、発言権を取得している携帯電話機１が変更される度に、発言権を取得しているメンバの名前を発言権者表示ボックス１０１に表示する。
【００６３】
着信側の携帯電話機１の通話実行部２１（以下、「着信側の通話実行部２１」と言う）は、通信路５１が確立されてグループ通話が可能な状態になると、着信側の通話画面を表示面３に表示する。
【００６４】
図７に示すように、着信側の通話画面は、発言権者表示ボックス１０１、メンバ名一覧部１０２および状態通知部１０３に加えて、参加通知キー１０４を含む。参加通知キー１０４は、着信側のメンバがグループ通話に参加していることを発信側のメンバに通知する場合に操作される。
【００６５】
着信側の通話実行部２１は、ＰＴＴサーバ５０からのメンバ情報に含まれた着信応答の有無を表す情報に基づいて、グループ通話が可能であるか不可能であるかに応じた色で各メンバの状態マーカ１０３ａを表示する。さらに、着信側の通話実行部２１は、発言権を取得しているメンバの名前を発言権者表示ボックス１０１に表示する。
【００６６】
着信側のメンバは、グループ通話に参加できる状態にある場合に、通知操作として、参加通知キー１０４に対する操作、たとえば、タップ操作を行う。着信側の通話実行部２１は、通知操作に基づいて、テキストメッセージであるＳＭＳ（Short Message Service）メールを発信側の携帯電話機１へ送信する。
【００６７】
発信側の通話実行部２１は、送信されたＳＭＳメールから差出人情報である電話番号を取得し、図６（ｂ）に示すように、取得した電話番号に対応するメンバの状態マーカ１０３ａを、そのメンバがグループ通話に参加していることを示す色（たとえば、緑色）で表示する。発信側のメンバは、発信側の通話画面において、各メンバの状態マーカ１０３ａを確認することにより、実際にグループ通話に参加している着信側のメンバを把握することができる。
【００６８】
以下、着信側の携帯電話機１および発信側の携帯電話機１それぞれにおける、参加通知機能に係る具体的な制御処理について、図８および図９のフローチャートを参照して説明
する。図８は、着信側の携帯電話機１で実行される参加メール送信処理の処理手順を示すフローチャートである。図９（ａ）は、発信側の携帯電話機１で実行される参加メール判別処理の処理手順を示すフローチャートである。図９（ｂ）は、発信側の携帯電話機１で実行される参加通知処理の処理手順を示すフローチャートである。通話実行部２１は、参加メール送信処理および参加通知処理を実行し、メール判別部２２は、参加メール判別処理を実行する。
【００６９】
図８を参照して、参加メール送信処理について説明する。着信側の携帯電話機１において、通話実行部２１は、グループ通話が行われている間、着信側の通話画面上の参加通知キー１０４が操作されたか否かを監視する（Ｓ１０１）。通話実行部２１は、参加通知キー１０４が操作されると（Ｓ１０１：ＹＥＳ）、ＳＭＳメールを作成する（Ｓ１０２）。このとき、通話実行部２１は、ＳＭＳメールの本文の先頭に参加通知機能用の識別文字列を設定する。参加通知機能用の識別文字列は、ＳＭＳメールが参加通知機能に係る特殊メッセージであることを発信側の携帯電話機１で判別させるための識別文字列であり、たとえば、「//PTT MESSAGE」なる文字列とされる。さらに、通話実行部２１は、ＳＭＳメールの差出人に自局の電話番号を設定し、ＳＭＳメールの宛先に発信側の携帯電話機１の電話番号を設定する。作成されたＳＭＳメールは、着信側のメンバがグループ通話へ参加していることを発信側のメンバへ通知するために着信側の携帯電話機１から発信側の携帯電話機１へ送信される参加通知情報として利用される。
【００７０】
通話実行部２１は、ＳＭＳメールの作成が完了すると、作成したＳＭＳメールを送信する（Ｓ１０３）。通話実行部２１は、ＳＭＳメールの送信が完了すると、参加メール送信処理を終了する。さらに、通話実行部２１は、参加通知キー１０４が操作されることなく、グループ通話が終了すると（Ｓ１０４：ＹＥＳ）、参加メール送信処理を終了する。
【００７１】
図９（ａ）を参照して、参加メール判別処理について説明する。発信側の携帯電話機１において、メール判別部２２は、通信部１９によりＳＭＳメールが受信されたか否かを監視する（Ｓ２０１）。メール判別部２２は、ＳＭＳメールが受信されると（Ｓ２０１：ＹＥＳ）、受信されたＳＭＳメールに参加通知機能用の識別文字列「//PTT MESSAGE」が含まれているか否かに基づいて、そのＳＭＳメールが参加通知情報であるか否かを判別する（Ｓ２０２）。
【００７２】
メール判別部２２は、参加通知機能用の識別文字列が含まれていることにより、受信したＳＭＳメールが参加通知情報であると判別すると（Ｓ２０２：ＹＥＳ）、そのＳＭＳメールの受信を、グループ通話機能のアプリケーション、即ち、このアプリケーションを実行する通話実行部２１へ通知する（Ｓ２０３）。
【００７３】
一方、メール判別部２２は、参加通知機能用の識別文字列が含まれていないことにより、受信したＳＭＳメールが参加通知情報でないと判別すると（Ｓ２０２：ＮＯ）、そのＳＭＳメールの受信を、ＳＭＳ機能のアプリケーションへ通知する（Ｓ２０４）。
【００７４】
図９（ｂ）を参照して、参加通知処理について説明する。発信側の携帯電話機１において、通話実行部２１は、グループ通話が行われている間、メール判別部２２からＳＭＳメールの受信が通知されたか否かを監視する（Ｓ３０１）。通話実行部２１は、ＳＭＳメールの受信が通知されると（Ｓ３０１：ＹＥＳ）、通知されたＳＭＳメールから差出人情報である電話番号を取得する（Ｓ３０２）。
【００７５】
通話実行部２１は、取得した電話番号に基づいて通話画面の状態通知部１０３の表示を更新する（Ｓ３０３）。即ち、通話実行部２１は、取得した電話番号からグループ通話への参加を通知したメンバを特定し、図６（ｂ）に示すように、特定したメンバの状態マー
カ１０３ａを、そのメンバがグループ通話に参加したことを示す色で表示する。
【００７６】
通話実行部２１は、グループ通話が終了すると（Ｓ３０４：ＹＥＳ）、参加通知処理を終了する。
【００７７】
このようにして、着信側の各携帯電話機１において、それぞれ、参加通知キー１０４が操作されると、発信側の携帯電話機１では、通話画面において、参加通知キー１０４が操作された携帯電話機１に対応するメンバの状態マーカ１０３ａの色が、順次、グループ通話が可能であることを示す色からグループ通話にメンバが参加したことを示す色に変更される。
【００７８】
以上、本実施の形態によれば、着信側のメンバ（ユーザ）がグループ通話に参加していることが発信側の通話画面の状態通知部１０３により通知される。よって、発信側のメンバ（ユーザ）は、自身の発言を着信側のメンバが聞ける状態にあるか否かを把握することができる。
【００７９】
さらに、本実施の形態によれば、着信側のメンバがグループ通話に参加していること示す参加通知情報としてＳＭＳメールが利用されている。これにより、着信側の携帯電話機１から、ＰＴＴサーバ５０を経由することなく、発信側の携帯電話機１へ参加通知情報を送信できる。よって、よって、ＰＴＴサーバ５０に参加通知情報を中継するための機能を持たせる必要がないため、参加通知機能を容易に実現できる。
【００８０】
＜変更例＞
本変更例の携帯電話機１は、上記実施の形態において説明された参加通知機能に加え、グループ通話時に受信した受話音声を録音することができる録音機能を備える。
【００８１】
図１０（ａ）は、本変更例に係る、発信側の携帯電話機１の表示面３に表示されるグループ通話の通話画面を示す図である。図１０（ｂ）は、本変更例に係る、着信側の携帯電話機１の表示面３に表示されるグループ通話の通話画面を示す図である。
【００８２】
図１０（ａ）に示すように、本変更例の発信側の通話画面は、発言権者表示ボックス１０１、メンバ名一覧部１０２および状態通知部１０３に加えて、録音開始キー１０５を含む。録音開始キー１０５は、発信側のメンバが、着信側の携帯電話機１にグループ通話の受話音声の録音を開始させる場合に操作される。
【００８３】
図１０（ｂ）に示すように、本変更例の着信側の通話画面は、発言権者表示ボックス１０１、メンバ名一覧部１０２、状態通知部１０３および参加通知キー１０４に加えて、録音停止キー１０６を含む。録音停止キー１０６は、着信側のメンバがグループ通話の受話音声の録音を停止させる場合に操作される。
【００８４】
発信側のメンバは、たとえば、自身の発言を着信側のメンバに確実に伝えたい場合に、グループ通話が可能な状態になると、指令操作として、録音開始キー１０５に対する操作、たとえば、タップ操作を行う。発信側の通話実行部２１は、指令操作に基づいて、テキストメッセージであるＳＭＳ（Short Message Service）メールを全ての着信側の携帯電話機１へ送信する。
【００８５】
着信側の通話実行部２１は、指令操作に基づくＳＭＳメールを受信すると、通信部１９が受信した受話音声およびマイクロフォン４に入力された発話音声の録音を開始する。図６（ｂ）に示すように、録音が開始された場合には、通話画面のピクト領域に、録音されていることを示す通知アイコン１０７が表示される。
【００８６】
着信側のメンバは、録音を停止させる場合に録音停止キー１０６に対する操作、たとえば、タップ操作を行う。また、着信側のメンバは、グループ通話への参加を通知する場合参加通知キー１０４に対する操作を行う。着信側の通話実行部２１は、録音停止キー１０６が操作されるか参加通知キー１０４が操作されると、録音を停止する。
【００８７】
以下、着信側の携帯電話機１および発信側の携帯電話機１それぞれにおける、録音機能に係る具体的な制御処理について、図１１ないし図１３のフローチャートを参照して説明する。図１１は、発信側の携帯電話機１で実行される録音メール送信処理の処理手順を示すフローチャートである。図１２は、着信側の携帯電話機１で実行される録音メール判別処理の処理手順を示すフローチャートである。図１３は、着信側の携帯電話機１で実行される録音処理の処理手順を示すフローチャートである。通話実行部２１は、本発明の録音実行部として機能し、録音メール送信処理および録音処理を実行する。メール判別部２２は、録音メール判別処理を実行する。
【００８８】
図１１を参照して、録音メール送信処理について説明する。発信側の携帯電話機１において、通話実行部２１は、グループ通話が行われている間、発信側の通話画面上の録音開始キー１０５が操作されたか否かを監視する（Ｓ４０１）。通話実行部２１は、録音開始キー１０５が操作されると（Ｓ４０１：ＹＥＳ）、グループ通話が可能な着信側の全ての携帯電話機１に対するＳＭＳメールを作成する（Ｓ４０２）。このとき、通話実行部２１は、各ＳＭＳメールの本文の先頭に録音機能用の識別文字列を設定する。録音機能用の識別文字列は、ＳＭＳメールが録音機能に係る特殊メッセージであることを着信側の携帯電話機１で判別させるための識別文字列であり、たとえば、「//PTT RECORD」なる文字列とされる。さらに、通話実行部２１は、各ＳＭＳメールの差出人に自局の電話番号を設定し、各ＳＭＳメールの宛先に発信側の携帯電話機１の電話番号を設定する。作成されたＳＭＳメールは、着信側の携帯電話機１へ受話音声の録音を指示するための録音指令情報として利用される。
【００８９】
通話実行部２１は、ＳＭＳメールの作成が完了すると、作成したＳＭＳメールを送信する（Ｓ４０３）。通話実行部２１は、ＳＭＳメールの送信が完了すると、録音メール送信処理を終了する。さらに、通話実行部２１は、録音開始キー１０５が操作されることなく、グループ通話が終了すると（Ｓ４０４：ＹＥＳ）、録音メール送信処理を終了する。
【００９０】
図１２を参照して、録音メール判別処理について説明する。着信側の携帯電話機１において、メール判別部２２は、通信部１９によりＳＭＳメールが受信されたか否かを監視する（Ｓ５０１）。メール判別部２２は、ＳＭＳメールが受信されると（Ｓ５０１：ＹＥＳ）、受信されたＳＭＳメールに録音機能用の識別文字列「//PTT RECORD」が含まれているか否かに基づいて、そのＳＭＳメールが録音指令情報であるか否かを判別する（Ｓ５０２）。
【００９１】
メール判別部２２は、録音機能用の識別文字列が含まれていることにより、受信したＳＭＳメールが録音指令情報であると判別すると（Ｓ５０２：ＹＥＳ）、そのＳＭＳメールの受信を、グループ通話機能のアプリケーション、即ち、このアプリケーションを実行する通話実行部２１へ通知する（Ｓ５０３）。
【００９２】
一方、メール判別部２２は、録音機能用の識別文字列が含まれていないことにより、受信したＳＭＳメールが録音指令情報でないと判別すると（Ｓ５０２：ＮＯ）、そのＳＭＳメールの受信を、ＳＭＳ機能のアプリケーションへ通知する（Ｓ５０４）。
【００９３】
図１３を参照して、録音処理について説明する。着信側の携帯電話機１において、通話
実行部２１は、メール判別部２２からＳＭＳメールの受信が通知されたか否かを監視する（Ｓ６０１）。通話実行部２１は、ＳＭＳメールの受信が通知されると（Ｓ６０１：ＹＥＳ）、受話音声および発話音声の録音を開始する（Ｓ６０２）。このとき、通話実行部２１は、通話画面のピクト領域に、通知アイコン１０７を表示する（図１０（ｂ）参照）。録音された音声は、日時情報が付加されて、記憶部１２に記憶される。
【００９４】
通話実行部２１は、録音停止キー１０６が操作されたか否か、参加通知キー１０４が操作されたか否か、およびグループ通話が終了したか否かを監視する（Ｓ６０３、Ｓ６０４、Ｓ６０５）。通話実行部２１は、録音停止キー１０６が操作されるか、参加通知キー１０４が操作されるか、またはグループ通話が終了すると（Ｓ６０３：ＹＥＳ、Ｓ６０４：ＹＥＳ、Ｓ６０５：ＹＥＳ）、録音を停止し（Ｓ６０６）、録音処理を終了する。なお、通話実行部２１は、録音を停止すると、ピクト領域の通知アイコン１０７を消去する。
【００９５】
さらに、通話実行部２１は、メール判別部２２からＳＭＳメールの受信が通知される前に、参加通知キー１０４が操作されるか、または、グループ通話が終了すると（Ｓ６０７：ＹＥＳ、Ｓ６０８：ＹＥＳ）、録音処理を終了する。
【００９６】
図１４（ａ）は、録音が停止された後の着信側の通話画面を示す図である。通話実行部２１は、録音を停止させて録音処理を終了すると、着信側の通話画面に、録音停止キー１０６に替えて、再生キー１０８および録音消去キー１０９を表示する。再生キー１０８が操作（たとえば、タップ操作）されると、通話実行部２１は、録音した音声を通話スピーカ５に再生させる。また、録音消去キー１０９が操作（たとえば、タップ操作）されると、通話実行部２１は、録音した音声を消去する。
【００９７】
図１５（ｂ）は、グループ通話時に録音された録音ファイルの一覧画面を示す図である。通話が終了した後に、所定の操作がなされると、図１５（ｂ）に示す録音ファイルの一覧画面が表示面３に表示される。録音ファイルは、たとえば、録音日時により区別される。何れかの録音ファイルが指定された後に、再生キー１０８が操作されると、指定された録音ファイルの音声が再生される。また、何れかの録音ファイルが指定された後に、録音消去キー１０９が操作されると、指定された録音ファイルが消去される。
【００９８】
以上、本変更例によれば、グループ通話時の受話音声を着信側の携帯電話機１で録音できるので、発信側のメンバ（ユーザ）が発言した際に、着信側のメンバ（ユーザ）の手元に着信側の携帯電話機１がなくても、発言内容を着信側のメンバに伝えることができる。
【００９９】
さらに、本変更例では、参加通知キー１０４が操作され、着信側のメンバがグループ通話に参加すると、自動的に録音が停止されるので、無駄な録音が抑制される。
【０１００】
さらに、本変更例では、発信側の携帯電話機１の録音開始キー１０５が操作されることに基づいて、着信側の携帯電話機１で録音が開始されるので、発信側のメンバが必要であると判断したときに、自身の発言を着信側の携帯電話機１に録音させることができる。よって、無駄な録音が抑制される。
【０１０１】
さらに、本変更例では、ＳＭＳメールを利用することにより、発信側の携帯電話機１から、ＰＴＴサーバ５０を経由することなく、着信側の携帯電話機１への録音の録音指令情報を送信する構成とされている。よって、ＰＴＴサーバ５０に録音指令情報を受け渡すための機能を持たせる必要がないため、録音機能を容易に実現できる。
【０１０２】
＜その他＞
以上、本発明の実施の形態について説明したが、本発明は、上記実施の形態によって何
ら制限されるものではなく、また、本発明の実施の形態も、上記以外に種々の変更が可能である。
【０１０３】
たとえば、上記実施の形態では、発信側の携帯電話機１に表示される発信側の通話画面の状態通知部１０３において、着信側の携帯電話機１のユーザがグループ通話に参加していることが通知される。しかしながら、着信側の携帯電話機１に表示される着信側の通話画面の状態通知部１０３においても、その携帯電話機１以外の着信側の携帯電話機１のユーザがグループ通話に参加していることが通知されてもよい。この場合、着信側の携帯電話機１からは、発信側の携帯電話機１だけでなく、他の着信側の携帯電話機１へ参加通知情報となるＳＭＳメールが送信される。さらに、着信側の携帯電話機１において、参加メール送信処理および参加通知処理が実行される。
【０１０４】
さらに、上記実施の形態では、状態通知部１０３の１つの状態マーカ１０３ａにより、着信側の携帯電話機１がグループ通話可能か否か、着信側のメンバがグループ通話に参加しているか否かの双方が通知される。しかしながら、着信側のメンバがグループ通話に参加しているか否か通知する形態は、上記の形態に限られない。たとえば、着信側の携帯電話機１がグループ通話可能か否かを通知する状態マーカとは別に、着信側のメンバがグループ通話に参加しているか否かを通知する状態マーカが通話画面上に配置されてもよい。また、状態マーカを設けずに、たとえば、メンバ名一覧部１０２の各メンバ名１０２ａの色を変えることにより、着信側のメンバがグループ通話に参加しているか否かが通知されてもよい。
【０１０５】
さらに、上記実施の形態では、参加通知情報としてＳＭＳメールが利用されている。しかしながら、ＳＭＳメールに限らず、その他の電子メール、たとえば、ＭＭＳ（Multimedia Message Service）メールが参加通知情報として用いられてもよい。さらに、必ずしも電子メールが利用される必要はなく、参加通知情報が着信側の携帯電話機１からＰＴＴサーバ５０を経由して発信側の携帯電話機１へ送信されてもよい。この場合、発信側の携帯電話機１で参加メール判別処理を実行する必要がなくなる反面、ＰＴＴサーバ５０に参加通知情報を中継する機能を付加する必要が生じる。
【０１０６】
同様に、上記変更例においても、録音指令情報としてＭＭＳメールなど、ＳＭＳメール以外の電子メールが利用されてもよい。また、録音指令情報が発信側の携帯電話機１からＰＰＴサーバ２を経由して着信側の携帯電話機１へ送信されてもよい。
【０１０７】
さらに、上記変更例では、録音開始キー１０５の操作により発信側の携帯電話機１から録音指令情報であるＳＭＳメールが送信され、このＳＭＳメールが受信されたことに基づいて、着信側の携帯電話機１で受話音声の録音が開始される。しかしながら、発信側の携帯電話機１に録音開始キー１０５が設けられなくてもよい。この場合、着信側の携帯電話機１では、通信路５１が確立されてグループ通話が可能な状態となると、自動的に録音が開始される。
【０１０８】
さらに、上記変更例では、録音停止キー１０６が操作されるか、または、参加通知キー１０４が操作されると、受話音声の録音が停止する。しかしながら、上記変更例の携帯電話機１は、録音停止キー１０６が操作されると録音が停止するが、参加通知キー１０４が操作されても録音が停止しない構成とされてもよい。あるいは、上記変更例の携帯電話機１は、録音停止キー１０６が設けられず、参加通知キー１０４が操作されると録音が停止する構成とされてもよい。
【０１０９】
また、上記実施の形態では、発信側の携帯電話機１と着着信側の携帯電話機１との間で通信路５１が確立され、発言権を取得した発信側の携帯電話機１のユーザが発言を行うと
、当該ユーザの音声が、着信側の携帯電話機１の通話スピーカ５から出力される。この場合、着信側の携帯電話機１において参加通知キー１０４が操作されずに、所定の期間が経過したとき、発信側のユーザの音声を消音（ミュート）するか、そのボリュームを低下させるようにしてもよい。すなわち、着信側の携帯電話機１の通話スピーカ５から所定の期間音声が出力されても、参加通知キー１０４が操作されずに放置されているときは、その着信側の携帯電話機１のユーザが実際に話を聞ける状態にない、たとえば、そのユーザが携帯電話機１の周囲にいないことも考えられるので、その場合は、周囲に対する迷惑防止や情報漏えいの防止の観点から、その音声の消音およびボリュームの低減がなされてもよい。なお、音声の消音およびボリュームの低減がなされても、音声の録音は可能である。
【０１１０】
本発明は、携帯電話機に限られず、電話機、並びに通話機能を有するＰＤＡ（PersonalDigital Assistant）、タブレットＰＣ（Tablet PC）および電子書籍端末など、通話機能を有する通信装置に適用可能である。
【０１１１】
この他、本発明の実施形態は、特許請求の範囲に示された技術的思想の範囲内において、適宜、種々の変更が可能である。
【符号の説明】
【０１１２】
３  表示面
１１  制御部
１３  表示部
１４  タッチ検出部（受付部）
１９  通信部（受信部）
２１  通話実行部（通知実行部、送信実行部、録音実行部）
２２  メール判別部（判別部）
１０２  メンバ名一覧部
１０２ａ  メンバ名（ユーザ情報）
１０３  状態通知部
１０３ａ  状態マーカ（通知オブジェクト）
【図１】
2014072535.tif 000003
【図２】
2014072535.tif 000004
【図３】
2014072535.tif 000005
【図４】
2014072535.tif 000006
【図５】
2014072535.tif 000007
【図６】
2014072535.tif 000008
【図７】
2014072535.tif 000009
【図８】
2014072535.tif 000010
【図９】
2014072535.tif 000011
【図１０】
2014072535.tif 000012
【図１１】
2014072535.tif 000013
【図１２】
2014072535.tif 000014
【図１３】
2014072535.tif 000015
【図１４】
2014072535.tif 000016